(57)【特許請求の範囲】
【請求項１】
画像を表示パネルに構成されたマトリクス状の各画素毎に分割し、それぞれの画素の透過光量又は反射光量或いは発光量を調整することによって、感光材料上に画像を露光する表示パネルを用いた画像露光方法であって、
前記表示パネル上の画素に透過光量又は反射光量或いは発光量調整不能な不良画素があるとき、
前記表示パネルのマトリクス状の画素群と、それぞれの画素に対応する分割画像との相対位置のずらし回数に応じて１画素それぞれに必要な露光量を分割して１回の露光量とし、
該特定された不良画素に対応する画像の濃度の度合いによって、その周囲の画素の露光量を制御し、
前記ずらしを行なうことで、画像の露光を複数回に分けて行なう
ことを特徴とする表示パネルを用いた画像露光方法。
【請求項２】
画像を表示パネルに構成されたマトリクス状の各画素毎に分割し、それぞれの画素の透過光量又は反射光量或いは発光量を調整することによって、感光材料上に画像を露光する表示パネルを用いた画像露光方法であって、
前記表示パネル上の画素に透過光量又は反射光量或いは発光量調整不能な不良画素があるとき、
露光回数を２回として１画素それぞれに必要な露光量を分割して１回の露光量とし、
該特定された不良画素に対応する画素の濃度の度合いによって、その周囲の画素の露光量を制御し、
１回目の露光が終了した時点で、前記表示パネルのマトリクス状の画素群と、それぞれの画素に対応する分割画像との相対位置を１画素ピッチずらした後、２回目の露光を行なう
ことを特徴とする表示パネルを用いた画像露光方法。
【請求項３】
前記不良画素が最大の透過光量又は反射光量或いは最大の発光量Ｑに対して、透過光量又は反射光量或いは発光量が０％の画素、透過光量又は反射光量或いは発光量が１００％の画素であることを特徴とする請求項１又は請求項２に記載の表示パネルを用いた画像露光方法。
【請求項４】
前記マトリクス状の画素群と分割画像との相対位置のずらしは、前記マトリクス状の画素群に対応させる分割画像の表示位置を二次元的にシフトさせ、かつそのシフト分前記表示パネル全体を上記方向とは逆方向に二次元的にシフトさせることを特徴とする請求項１乃至請求項３の何れか１項記載の表示パネルを用いた画像露光方法。
【請求項５】
前記ずらし方向が、天地又は左右方向のいずれか一方であることを特徴とする請求項１乃至請求項４のいずれか１項記載の表示パネルを用いた画像露光方法。
【請求項６】
前記不良画素が、最大の透過光量又は反射光量或いは最大の発光量Ｑに対して、透過光量又は反射光量或いは発光量が０％の画素であるときは、前記不良画素の周囲の画素の露光量を必要に応じて所望の露光量よりも多くし、
前記不良画素が、最大の透過光量又は反射光量或いは最大の発光量Ｑに対して、透過光量又は反射光量或いは発光量が１００％の画素であるときは、前記不良がその周囲の画素の露光量を必要に応じて所望の露光量よりも少なくする
ことを特徴とする請求項１乃至請求項５のいずれか１項記載の表示パネルを用いた画像露光方法。
【発明の詳細な説明】
【０００１】
【発明の属する技術分野】
本発明は、画像を表示パネルに構成されたマトリクス状の各画素毎に分割し、それぞれの画素の透過光量又は反射光量或いは発光量を調整することによって、感光材料上に画像を露光する表示パネルを用いた画像露光方法に関する。
【０００２】
【従来の技術及び発明が解決しようとする課題】
液晶表示パネルにおけるマトリクス状に配列された複数の画素のそれぞれの透過光量を調整することにより、画像を形成し、この液晶表示パネルを透過する光を感光材料へ照射する画像露光方法が提案されている（例えば、特開平３−４１８６８号、特開平４−３２３６４０号公報参照）。
【０００３】
特開平３−４１８６８号では、液晶シャッターと感光材料とを縦方向と横方向とに相対移動可能な記録手段と、画像読取手段とからなるシステムが開示されており、特開平４−３２３６４０号では、感光材料に露光される画素ピッチＰに対して（２ｎ＋１）Ｐ／２単位で２次元的に液晶表示パネルをステップ移動させて露光する液晶プリンタが開示されている。
【０００４】
このような、液晶表示機能を原画像の表示に用いることにより、画像がデジタル画像となるため、画像の記録、画像処理が容易となる。
【０００５】
ところで、画像の解像度は画素数に起因するが、上記、特開平４−３２３６４０号では、画素を二次元的に１．５  ピッチずらして、１画像を分割して露光するようにしており、このようにすれば、単純計算で２倍の解像度を得ることができる。
【０００６】
ここで、画素の一部に欠陥があった場合、所望の透過光量に制御できず、原画像の濃度から得られる光量とは異なる光量になる場合がある。特に、このような不良画素は、全く光が透過しない状態で固定される所謂ツブレ欠陥と、完全に開放状態で光が透過してしまう状態で固定される所謂ヌケ欠陥と、が多く見られる。
【０００７】
このため、画像の一部に周囲とは異なる濃度の点が現れることになる。特に、感光材料上で白色に近い画像の中にヌケ欠陥画素が存在したり、黒色に近い画素の中にツブレ欠陥画素が存在するような場合には、特に顕著になり、画像の品質低下を招くことになる。
【０００８】
なお、上記先行技術の他に、関連技術として、スペクトル又は３原色のいずれかのスペクトルの画像を再生するための第４の液晶表示パネルを持つ液晶ディスプレイ装置（特開平５−１３４２６８号公報）、少なくとも１つの欠陥補正用電気光学変調素子を備え、これと本来の画像表示用電気光学素子の光出力の一方のみを投影光学系に導入させる画像表示装置（特開平５−３１３１１８号公報）等が提案されている。
【０００９】
本発明は上記事実を考慮し、濃度（透過光量又は反射光量或いは発光量）の調整ができない画素が存在し、その位置が特定できる場合に、その不良（欠陥）画素の周囲の画素の濃度（透過光量又は反射光量或いは発光量）を用いて補正し、欠陥による感光材料上の点状の濃度異常を目立たなくし、画像品質の低下を防止することができる表示パネルを用いた画像露光方法を得ることが目的である。
【００１０】
【課題を解決するための手段】
（請求項１）
請求項１に記載の発明は、画像を表示パネルに構成されたマトリクス状の各画素毎に分割し、それぞれの画素の透過光量又は反射光量或いは発光量を調整することによって、感光材料上に画像を露光する表示パネルを用いた画像露光方法であって、前記表示パネル上の画素に透過光量又は反射光量或いは発光量調整不能な不良画素があるとき、前記表示パネルのマトリクス状の画素群と、それぞれの画素に対応する分割画像との相対位置のずらし回数に応じて１画素それぞれに必要な露光量を分割して１回の露光量とし、該特定された不良画素に対応する画像の濃度の度合いによって、その周囲の画素の露光量を制御し、前記ずらしを行なうことで、画像の露光を複数回に分けて行なうことを特徴としている。
【００１１】
請求項１に記載の発明によれば、表示パネル上の特定の画素に欠陥がある場合、この不良画素で単一の画像を表示すると、当該画素の欠陥が顕著に現れる。そこで、この不良画素を複数の画像に対応させるべく、画素ずらしを行う。すなわち、最初に画像を表示した状態で露光した後、表示パネルのマトリクス状に配列された画素群と、それぞれの画素に対応する分割画像との相対位置を変更し、さらに表示パネルを画素ずらし量と同じ量だけ逆方向に移動して表示した状態で露光する。これを必要回数行うことで、画像の露光を複数回に分けて行う。
【００１２】
この場合、ずらし回数に合わせて、１画素それぞれに必要な露光量を分割した露光量とする。これにより、特定の画像が不良画素に１００％依存することがなく、複数の画像にこの露光依存割合を分散することができる。画像の濃度によっては、分散することにより、全く不良のない、完全補正された画像を得ることができる。また、対応する画像の濃度の度合いによって、その周囲の画素の露光量を制御しているので、仮に、完全補正されなくとも、不良画素による濃度変化が１点に集中するようなことが防止される。
【００１３】
従って、不良画素があったとしても、この不良画素による画質の低下を低減することができる。
（請求項２）
請求項２に記載の発明は、画像を表示パネルに構成されたマトリクス状の各画素毎に分割し、それぞれの画素の透過光量又は反射光量或いは発光量を調整することによって、感光材料上に画像を露光する表示パネルを用いた画像露光方法であって、前記表示パネル上の画素に透過光量又は反射光量或いは発光量調整不能な不良画素があるとき、露光回数を２回として１画素それぞれに必要な露光量を分割して１回の露光量とし、該特定された不良画素に対応する画素の濃度の度合いによって、その周囲の画素の露光量を制御し、１回目の露光が終了した時点で、前記表示パネルのマトリクス状の画素群と、それぞれの画素に対応する分割画像との相対位置を１画素ピッチずらした後、２回目の露光を行なうことを特徴としている。
請求項２に記載の発明によれば、表示パネル上の特定の画素に欠陥がある場合、この不良画素で単一の画像を表示すると、当該画素の欠陥が顕著に現れる。そこで、この不良画素を複数の画像に対応させるべく、画素ずらしを行う。すなわち、最初に画像を表示した状態で露光した後、表示パネルのマトリクス状に配列された画素群と、それぞれの画素に対応する分割画像との相対位置を変更し、さらに表示パネルを画素ずらし量と同じ量（１画素ピッチ）だけ逆方向に移動して表示した状態で露光する。
ここで、露光回数を２回としているので、露光時間の大幅な延長を防止でき、かつ、ある程度、不良画素による画質低下を抑制することができる。また、不良画素に対応する画像の濃度の度合いによって、その周囲の画素の露光量を制御しているので、仮に、完全補正されなくとも、不良画素による濃度変化が１点に集中するようなことが防止される。
（請求項３）
請求項３に記載の発明は、前記請求項１又は請求項２に記載の発明において、前記不良画素が最大の透過光量又は反射光量或いは最大の発光量Ｑに対して、透過光量又は反射光量或いは発光量が０％の画素、透過光量又は反射光量或いは発光量が１００％の画素であることを特徴としている。
【００１４】
請求項３に記載の発明によれば、不良画素としては、完全に光が不透過又は不反射或いは未発光で調整が不能となる光量０％不良と、光が最大透過又は最大反射或いは最大発光したままで調整が不能となる光量１００％不良と、が多く存在する。このため、光量０％不良の場合には、全く感光材料上に光が当たらないため、別の画素でこの不良画素に対応する画像の濃度を得るようにする。また、光量１００％不良の場合には、最大の露光量となってしまうため、露光を複数回に分け、順次画素ずらしを行うことにより、所望の露光量に近づけることができる。
なお、ずらし回数を増やせば増やすほど精度は向上するが、その分露光時間を長くすることになるため、状況に応じてずらし回数を選定すればよい。
（請求項４）
請求項４に記載の発明は、前記請求項１乃至請求項３の何れか１項記載の発明において、前記マトリクス状の画素群と分割画像との相対位置のずらしは、前記マトリクス状の画素群に対応させる分割画像の表示位置を二次元的にシフトさせ、かつそのシフト分前記表示パネル全体を上記方向とは逆方向に二次元的にシフトさせることを特徴としている。
【００１５】
請求項４に記載の発明は、表示パネルを微妙（１画素ピッチ毎）に移動できるような移動台上に搭載し、この表示パネルをｘ−ｙ方向に移動できるようにする。画像は、マトリクス状の各画素に座標を設けたとすると、最初の露光後、最初に位置する座標を特定し、例えば、次の露光時には、表示パネルを１ピッチ二次元的にシフトさせ、画像の表示位置を表示パネルのマトリクス状の画素群に対して、１画素ピッチ分、二次元的に表示パネルのシフト方向とは逆方向にシフトさせる（ｘ／及び又はｙ方向）。この後、露光することにより、見掛け上、画像をずらして表示パネル上に表示されたことになる。
【００１６】
（請求項５）
請求項５に記載の発明は、前記請求項１乃至請求項４のいずれか１項記載の発明において、前記ずらし方向が、天地又は左右方向のいずれか一方であることを特徴としている。
【００１７】
請求項５に記載の発明によれば、ずらし方向はマトリクス状に配列された天地又は左右方向であり、斜め方向は避けることが好ましい。斜め方向では、不良画素を目立たなくする効果が薄く、表示パネルの移動制御も複雑となるためである。なお、好ましくは左右方向にずらした方がよい。
（請求項６）
請求項６に記載の発明は、前記請求項１乃至請求項５のいずれか１項記載の発明において、前記不良画素が、最大の透過光量又は反射光量或いは最大の発光量Ｑに対して、透過光量又は反射光量或いは発光量が０％の画素であるときは、前記不良画素の周囲の画素の露光量を必要に応じて所望の露光量よりも多くし、前記不良画素が、最大の透過光量又は反射光量或いは最大の発光量Ｑに対して、透過光量又は反射光量或いは発光量が１００％の画素であるときは、前記不良がその周囲の画素の露光量を必要に応じて所望の露光量よりも少なくすることを特徴としている。
【００１８】
請求項６に記載の発明によれば、不良画素の補正の際に、どうしても完全補正できない場合がある。例えば、ツブレ欠陥で、ずらし回数が１回と定められていると、ツブレ欠陥に対応する画像の露光量が５０％以上の場合に、これ以上の露光量を得ることができない。このとき、この不良画素周囲の画像の露光量が最大露光量Ｑに対して０％または１００％に近い場合に、不良画素に隣接する画素の透過光量を調整し、急激な濃度変化を緩和するようにする。これにより、完全補正はできないが、極力不良であることを目立たなくすることができ、画質低下を軽減することができる。
【００２０】
【発明の実施の形態】
以下に図面を参照して、本発明を液晶表示素子に適用した例を用いて画像形成方法及び装置を詳細に説明する。
【００２１】
液晶画像形成装置１０には、プリント部１２が配設されている。プリント部１２には、ハロゲンランプ若しくはコンパクト化が可能なＬＥＤとリフレクタとによって焼付露光のための光源１４が備えられている。
【００２２】
光源１４から照射される光源の焼付光軸Ｌ上に、Ｒ（レッド）、Ｇ（グリーン）、Ｂ（ブルー）の各色の色分解フィルタ１６が配設されている。これらの各色分解フィルタ１６は、ドライバ１８からの信号に応じて、光軸Ｌ上へ挿入又は離脱する。
【００２３】
色分解フィルタ１６の下方の焼付光軸Ｌには、後に説明する液晶表示パネル２０が設けられている。
【００２４】
液晶表示パネル２０には、液晶表示パネル２０を駆動する液晶表示パネル駆動部２２が接続されており、液晶表示パネル駆動部２２は、更に液晶表示パネル駆動部２２の駆動を制御するコントローラ２４に接続されている。また、液晶表示パネル２０には、液晶表示パネル２０を図１の鎖線Ｍで示す平面内で移動させる液晶表示パネル移動部２６が設けられている。液晶表示パネル移動部２６は、移動手段として例えばＰＺＴ（ｐｂＴｉＯ３  とｐｂＺｒＯ３  との混晶）及び高分子膜（例えばフッ化ビニリデン）等の圧電素子２８、６４（図２及び図３参照）が適用されており、これらは、コントローラ２４によって制御されるようになっている。なお、圧電素子２８、６４の駆動については後述する。
【００２５】
コントローラ２４は、ネガ画像記憶部３０に接続されており、ネガ画像記憶部３０から入力したネガ画像データに基づいて、液晶表示パネル２０の駆動及び移動を制御している。
【００２６】
液晶表示パネル２０の下方の焼付光軸Ｌには、焼付用レンズ３２を挟んでブラックシャッタ３４が配置されている。ブラックシャッタ３４は、ドライバ３６からの駆動信号に応じて開閉し、焼付光軸Ｌ上の光を通過又は遮断するようになっている。また、レンズ３２は、光軸Ｌに沿って移動可能となっており、これにより引伸倍率を変更することができる。
【００２７】
ブラックシャッタ３４の下方であって焼付光軸Ｌの最下方には、印画紙３８が印画紙搬送部４０によって位置決めされている。印画紙３８の一端は、図示されていない回転軸に層状に巻き取られている。
【００２８】
次に図２及び図３を参照して、液晶表示パネル２０及びその周辺部の構造を説明する。
【００２９】
液晶表示パネル２０は、支持板２０Ａと表示面２０Ｂから構成されている。支持板２０Ａは枠状に形成され、中央の矩形孔に表示面２０Ｂを保持すると共に、図示しない配線基板が取り付けられている。
【００３０】
表示面２０Ｂには、電気的な手段によって、白色、黒色及びそれらの中間色を表示可能な多数の画素（一例として約５１万画素）が、所定のピッチ寸法でマトリクス状に配列されている。ここで、本実施の形態では、１画素の大きさは２０×２０μｍ（一辺の寸法が２０μｍの正方形）であり、ピッチ寸法Ｇは４０μｍとなっている。
【００３１】
液晶表示パネル２０の一方の対辺には、一対のブロック材４２が配置されている。ブロック材４２には、液晶表示パネル２０の側面とほぼ等しい面積の開口面積を有する挿入口４６が設けられ、液晶表示パネル２０の該対辺側端部が挿入されている。この挿入口４６は、ブロック材４２の反対面まで貫通されており、この反対面には板材４４が取付けられている。
【００３２】
ここで、一方のブロック材４２に対応する板材４４には、挿入口４６の開口面に対向して補助部材４８が取り付けられ、この補助部材４８の挿入口４６側対向面には、圧電素子２８が配置されている。この補助部材４８及び圧電素子２８は、挿入口４６に嵌入されている。補助部材４８と板材４４との接着は、ネジ等を用いて固定してもよく、また接着剤等により接着してもよい。圧電素子２８は、液晶表示パネル２０の幅方向側面とブロック材４２の内部で対面して接触し、制御手段によって設定された幅方向（画素の配列平面上におけるＸ方向）の移動量分、液晶表示パネル２０を移動させることができるようになっている。
【００３３】
また、他方の板材４４には、圧縮コイルばね５０を介して、押圧部材５２が配置され、挿入口４６に収容されている。押圧部材５２と板材４４との間の圧縮コイルばね５０の一端は、板材４４に設けられた円溝５４に収容され、他端は押圧部材５２に当接されている。これにより、液晶表示パネル２０は、押圧部材５２によって、圧電素子２８に接触する方向に押圧されている。
【００３４】
一対のブロック材４２は、液晶表示パネル２０の他方の対辺に配置された一対の固定板５６に各々ビス５８によって螺合されている。一方の固定板５６の外側面には、ブラケット６０が所定間隔をもって取り付けられ、固定板５６との対向面には、補助部材６２に取り付けられた圧電素子６４が配置され、固定板５６と接触している。圧電素子６４は、制御手段によって設定された長手方向（画素の配列平面上におけるＹ方向）の移動量分、固定板５６及びブロック材４２を介して液晶表示パネル２０を移動させることができるようになっている。
【００３５】
一対の各固定板５６及びブラケット６０には、各々同軸上の円孔が設けられ、シャフト６６が貫通している。シャフト６６の端部は、ブラケット６０の近傍でＥ型リング６８によって係止され、軸方向の移動が阻止されている。
【００３６】
前記圧電素子６４が配設された側と反対側の固定板５６とブラケット６０との間のシャフト６６には、圧縮コイルばね７０が取り付けられている。圧縮コイルばね７０は、固定板５６を介して液晶表示パネル２０を圧電素子６４に接触する方向に付勢する作用を有している。
【００３７】
これにより、図３（Ｂ）に示される如く、通常は、液晶表示パネル２０が圧電素子２８に接触し、固定板５６が圧電素子６４に接触した状態とされ（基準位置（０，０））、圧電素子２８のみが作用すると液晶表示パネル２０は（ｘ，０）方向に移動され、圧電素子６４のみが作用すると液晶表示パネル２０は、ブロック材４２、固定板５６と共に、（０，ｙ）方向に移動され、圧電素子２８及び圧電素子６４が共に作用すると、液晶表示パネル２０は、（ｘ，ｙ）方向に移動することになる。
【００３８】
本実施の形態では、露光回数を２回とし、１回目の露光が終了した時点で、ｙ方向（但し、ｙはプラス方向）に１ピッチ（４０μｍ）移動させた後、２回目の露光を行うようになっている。このため、１回目と２回目とで異なる画像が表示されることになる。以下、各画素を特定するため、図４に示される如く、図３（Ｂ）のｘ方向を数字で、ｙ方向をアルファベットで表すものとする。
【００３９】
この図４において、例えば、座標（Ｄ，６）の画素（以下、座標を特定する場合に、座標（Ｄ，６）は「Ｄ６」のように簡略化して示す。）に欠陥がある場合、このＤ６には、２種の画像が交互に対応し、少なくとも１回は正常な露光制御が行えることになる。
【００４０】
画素の欠陥には、大きく分けて２種類あり、透過光量が０％の状態で制御不能であるツブレ欠陥と、透過光量が１００％の状態で制御不能であるヌケ欠陥と、に分けることができる。以下、ツブレ欠陥とヌケ欠陥とのそれぞれにおける、補正について説明する。
［ツブレ欠陥］
液晶表示パネル２０のＤ６がつぶれていることを想定すると、考えられる条件としては、
▲１▼    Ｄ６とＥ６とによる合成露光量が１００％露光量を超える場合
▲２▼    Ｄ６とＥ６とによる合成露光量が１００％露光量以下の場合
となる。
【００４１】
この内、Ｄ６が露光量５０以下、Ｅ６が露光量５０以下の場合には、Ｄ６とＥ６との露光制御のみで所望の露光量を得ることができる。
【００４２】
他の画素を１／２づつ２回に分けて露光し、Ｄ６とＥ６とは、その内の１回で全露光すればよい。いずれか一方が露光量５０以上の場合には、露光量５０以下の方だけは、１回の露光で所望の露光量を得ることができるが、露光量５０以上の方は以下に示す露光制御を行う。
【００４３】
次に、Ｄ６が露光量５０以上及び／又はＥ６が露光量５０以上の場合には、それぞれ露光量５０が最大であるため（１回の露光はつぶれた状態での露光のため露光量０となる）、それぞれが露光量５０で露光されるように制御する。さらに、露光量５０となった周囲の露光量を、必要に応じて所望の露光量よりも多くすることにより、露光量５０の画素を目立たなくすることができる。多くする量は、原画に基づく所望の露光量によって設定する。
【００４４】
Ｄ６とＥ６とは、実質的に１回の露光しか行われない。そこで、両者の合成露光量が最大露光量Ｑを超えていることを条件にＥ６の補正係数を決定する。すなわち、最大露光量Ｑに対するＥ６の比を補正係数とする。この結果、Ｅ６の１回の露光量は所望の露光量の１／２よりもＥ６の露光量に基づいて多くなる。
【００４５】
一方、Ｄ６とＥ６の周囲の画素を特定すると、それぞれＤ５、Ｃ６、Ｄ７、Ｅ５、Ｆ６、Ｅ７となる。
【００４６】
この６画素をＤ６またはＥ６の所望の露光量に応じて補正する。まず、１回目の露光では、左側３画素（Ｄ５、Ｃ６、Ｄ７）の補正係数を決める。
【００４７】
＊＊＊＊＊＊＊＊＊＊＊＊＊＊＊＊＊＊＊＊＊＊＊＊＊＊＊＊＊＊＊＊＊＊
Ｄ５では、まず、Ｄ６とＥ６との合成露光量から１画素での最大露光量Ｑを差引き、これをＣ６とＤ７で分割して補正するために３で割った値（補正依存量）を計算する。この補正依存量とＤ５との合成露光量が最大露光量Ｑを超えている場合には、Ｄ５の露光量が１００に近く、補正してもその効果が顕著に表れないため、補正領域から外す（補正係数＝１）。また、合成露光量が最大露光量以下の場合には、Ｄ５を所望の露光量よりも増加することにより、Ｄ６の露光量を補正できるため、補正依存量とＤ５の合成露光量に対するＤ５の露光量の比を演算し、これをＤ５の露光補正係数とする。これにより、Ｄ５の１回目の露光量は所望の露光量に対して補正依存量に基づいて増加する。
【００４８】
＊＊＊＊＊＊＊＊＊＊＊＊＊＊＊＊＊＊＊＊＊＊＊＊＊＊＊＊＊＊＊＊＊＊
上記＊印の範囲内の補正制御をＣ６とＤ７で同様に実行し、それぞれの補正係数を求める。また、他の画素の補正係数は標準値（１００％）である。
【００４９】
この条件で、液晶表示パネル２０に画像を表示し、１回目の露光を行う。この１回目の露光では、Ｄ６の露光量は０である。また、Ｄ５、Ｃ６、Ｄ７は、それぞれ演算された露光量で露光される。
【００５０】
一方、Ｅ５、Ｆ６、Ｅ７は、１回目の露光ではそれぞれの所望の露光量の１／２で露光される（補正係数＝１）。
【００５１】
１回目の露光後、画素ずらしを実行する。この画素ずらしは、液晶表示パネル２０を１画素分右横方向にずらす。見掛け上は、画像に対してつぶれ画素が右横方向すなわちＥ６にずれたことと同じになる。すなわち、２回目の露光時にはＥ６に対応する画素の画像が露光されないことになる。
【００５２】
ここで、再度Ｄ６とＥ６との合成露光量が最大露光量Ｑを超えていることを条件にＥ６の補正係数を決定する。すなわち、Ｄ６とＥ６との合成露光量に対するＥ６の比を補正係数とする。この結果、Ｅ６の１回の露光量は所望の露光量の１／２よりもＤ６の露光量に基づいて多くなる。
【００５３】
一方、周囲６画素の内の残りの３画素の露光量をＤ６、Ｅ６の露光量に応じて補正する。この、２回目の露光では、右側３画素の補正係数を決める。
【００５４】
☆☆☆☆☆☆☆☆☆☆☆☆☆☆☆☆☆☆☆☆☆☆☆☆☆☆☆☆☆☆☆☆☆☆
Ｅ５では、まず、Ｄ６とＥ６との合成露光量から１画素での最大露光量Ｑを差引き、これをＦ６とＤ７で分割して補正するために３で割った値（補正依存量）を計算する。この補正依存量とＥ５との合成露光量が最大露光量Ｑを超えている場合には、Ｄ５の露光量が１００に近く、補正してもその効果が顕著に表れないため、補正領域から外す（補正係数＝１）。また、合成露光量が最大露光量以下の場合には、Ｅ５を所望の露光量よりも増加することにより、Ｄ６の露光量を補正できるため、補正依存量とＥ５の合成露光量に対するＥ５の露光量の比を演算し、これをＥ５の露光補正係数とする。これにより、Ｅ５の２回目の露光量は所望の露光量に対して補正依存量に基づいて増加する。
【００５５】
☆☆☆☆☆☆☆☆☆☆☆☆☆☆☆☆☆☆☆☆☆☆☆☆☆☆☆☆☆☆☆☆☆☆
上記☆印の範囲内の補正制御をＦ６とＥ７で同様に実行し、それぞれの補正係数を求める。また、他の画素の補正係数は標準値（１００％）である。
【００５６】
この条件で、液晶表示パネル２０に画像を表示し、２回目の露光を行う。この２回目の露光では、Ｅ６の露光量は０である。また、Ｅ５、Ｄ６、Ｅ７は、それぞれ演算された露光量で露光される。
【００５７】
また、１回目で所定の補正係数に従って露光された、Ｄ５、Ｃ６、Ｄ７は、２回目の露光ではそれぞれの所望の露光量の１／２で露光される。
［ヌケ欠陥］
液晶表示パネル２０のＤ６が抜けていることを想定すると、考えられる条件としては、
▲１▼    Ｄ６の露光量が１００％露光量を超える場合
▲２▼    Ｄ６の露光量が１００％露光量以下の場合
となる。
【００５８】
この内、Ｄ６とＥ６が共に露光量５０以上の場合には、Ｄ６とＥ６との露光制御のみで所望の露光量を得ることができる。
【００５９】
他の画素を１／２づつ２回に分けて露光するとき、その１回目で、Ｄ６は露光量５０、Ｅ６はその２回目で露光量５０となる。そこで、Ｄ６は２回目、Ｅ６は１回目において、Ｄ６とＥ６との合成露光量の１００％を超える量のそれぞれ占有割合分、露光すればよい。すなわち、１回目のＥ６の補正係数は、（Ｄ６＋Ｅ６−Ｑ）／Ｅ６）、２回目のＤ６の補正係数は、（Ｄ６＋Ｅ６−Ｑ）／Ｄ６）となる。
【００６０】
次に、Ｄ６及び／又はＥ６が露光量５０以下の場合には、１回の露光で露光量５０となってしまうため、いずれか１回の露光時に素抜け画素位置にくる画像の他の１回の露光補正値を０％とする。すなわち、１回目はＥ６が０、２回目はＤ６が０となる。
【００６１】
このように、Ｄ６とＥ６とは、実質的に１回の露光が素抜け状態で露光され、１００％露光が余儀なくされる。そこで、Ｄ６及びＥ６の露光量が最大露光量Ｑの１／２（＝Ｑ／２）以下であることを条件に１回目露光時のＥ６の補正係数を０、すなわち露光しないようにする。
【００６２】
さらに、露光量５０となった周囲の露光量を、必要に応じて所望の露光量よりも少なくすることにより、露光量５０の画素を目立たなくすることができる。少なくする量は、原画に基づく所望の露光量によって設定する。
【００６３】
ここで、Ｄ６とＥ６の周囲の画素を特定すると、それぞれＤ５、Ｃ６、Ｄ７、Ｅ５、Ｆ６、Ｅ７となる。
【００６４】
この６画素をＤ６またはＥ６の所望の露光量に応じて補正する。まず、１回目の露光では、左側３画素の補正係数を決める。
【００６５】
＊＊＊＊＊＊＊＊＊＊＊＊＊＊＊＊＊＊＊＊＊＊＊＊＊＊＊＊＊＊＊＊＊＊
Ｄ５では、まず、Ｄ６の露光量からＱ／２を差引き、これをＣ６とＤ７で分割して補正するために３で割った値（補正依存量）にＤ５の１／２（＝Ｄ５／２）の露光量を加算した値を計算する。この補正依存量とＤ５／２との合成露光量が、負の数の場合には、Ｄ５を全開放しても補正しきれないため、Ｄ５の補正係数を一律”０”とする。
【００６６】
また、正の数の場合には、この補正依存量とＤ５／２との合成露光量に対するＤ５／２の比を１回目の露光時のＤ５の補正係数とする。このとき、Ｄ６−（Ｑ／２）が負の数であるため、Ｄ５の１回目の露光量は所望の露光量に対して補正依存量に基づいて減少する。
【００６７】
＊＊＊＊＊＊＊＊＊＊＊＊＊＊＊＊＊＊＊＊＊＊＊＊＊＊＊＊＊＊＊＊＊＊
上記＊の範囲内の補正制御をＣ６とＤ７で同様に実行し、それぞれの補正係数を求める。また、他の画素の補正係数は標準値（１００％）である。
【００６８】
この条件で、液晶表示パネル２０に画像を表示し、１回目の露光を行う。この１回目の露光では、Ｄ６の露光量は５０（１００％）である。また、Ｄ５、Ｃ６、Ｄ７は、それぞれ演算された露光量で露光される。
【００６９】
一方、Ｅ５、Ｆ６、Ｅ７は、１回目の露光ではそれぞれの所望の露光量の１／２で露光される。
【００７０】
１回目の露光後、画素ずらしを実行する。この画素ずらしは、液晶表示パネル２０を１画素分右横方向にずらす。見掛け上は、画像に対してつぶれ画素が右横方向すなわちＥ６にずれたことと同じになる。すなわち、２回目の露光時にはＥ６に対応する画素の画像が素抜け状態で露光されることになる。
【００７１】
ここで、繰り返しの説明になるが、Ｄ６とＥ６とは、実質的に１回の露光が素抜け状態で露光され、１００％露光が余儀なくされる。そこで、Ｄ６及びＥ６の露光量が最大露光量Ｑの１／２（＝Ｑ／２）以下であることを条件に、２回目露光時のＤ６の補正係数を０、すなわち露光しないようにする。
【００７２】
これにより、Ｄ６は１回目、Ｅ６は２回目の露光で１００％露光され、Ｄ６は２回目、Ｅ６は１回目の露光で０％露光となり、Ｄ６とＥ６とのそれぞれの露光量を最小限（露光量５０％）にくい止めることができる。
【００７３】
一方、周囲６画素の内の残りの３画素の露光量をＤ６、Ｅ６の露光量に応じて補正する。この、２回目の露光では、右側３画素の補正係数を決める。
【００７４】
＊＊＊＊＊＊＊＊＊＊＊＊＊＊＊＊＊＊＊＊＊＊＊＊＊＊＊＊＊＊＊＊＊＊
Ｅ５では、まず、Ｅ６の露光量からＱ／２を差引き、これをＦ６とＥ７で分割して補正するために３で割った値（補正依存量）にＥ５の１／２（＝Ｅ５／２）の露光量を加算した値を計算する。この補正依存量とＥ５／２との合成露光量が負の数の場合には、Ｅ５を全開放しても補正しきれないため、Ｅ５の補正係数を一律”０”とする。
【００７５】
また、正の数の場合には、この補正依存量に対するＥ５／２の比を２回目の露光時のＥ５の補正係数とする。このとき、Ｅ６−（Ｑ／２）が負の数であるため、Ｅ５の２回目の露光量は所望の露光量に対して補正依存量に基づいて減少する。
【００７６】
＊＊＊＊＊＊＊＊＊＊＊＊＊＊＊＊＊＊＊＊＊＊＊＊＊＊＊＊＊＊＊＊＊＊
上記＊の範囲内の補正制御をＦ６とＥ７で同様に実行し、それぞれの補正係数を求める。また、他の画素の補正係数は標準値（１００％）である。
【００７７】
この条件で、液晶表示パネル２０に画像を表示し、２回目の露光を行う。この２回目の露光では、Ｄ６の露光量は５０（１００％）である。また、Ｅ５、Ｄ６、Ｅ７は、それぞれ演算された露光量で露光される。
【００７８】
また、１回目で所定の補正係数に従って露光された、Ｄ５、Ｃ６、Ｄ７は、２回目の露光ではそれぞれの所望の露光量の１／２で露光される。
【００７９】
次に本実施の形態の作用を説明する。
ネガ画像記憶部３０により一時記憶された焼付露光の対象となる画像データが、コントローラ２４を介して液晶表示パネル駆動部２２に送信されると、液晶表示パネル駆動部２２が作動して、送信された画像データに基づいて、所定のピッチ寸法でマトリクス状に配列された画素から構成される液晶表示パネル２０上にネガ画像が形成され、所定の処理に従って、印画紙３８に露光される。
【００８０】
このとき、本実施の形態では、露光制御を２回に分けて行い、それぞれの露光量を所望の露光量の１／２で行う。これにより、実質的に所望の露光量を得ることができる。２回に分けて露光するのは、液晶表示パネル２０上の画素に欠陥があると、これを補正する必要があるためである。補正の方法（露光量の制御）は、欠陥の種類（ツブレ欠陥、ヌケ欠陥）とその不良画素に対応する画像の濃度の度合いによって、様々であり、以下、図５及び図６のフローチャートに従い、その露光量の制御手順を説明する。なお、不良画素は、Ｄ６であると、予め認識し、かつ不良の種類も確定しているものとする。
【００８１】
図５には、ツブレ欠陥のときの露光量の制御フローチャートが示されている。ステップ１００では、不良画素であるＤ６とその隣のＥ６の露光量の加算値が最大の露光量Ｑよりも多いか少ないかを判断する。ここで、否定判定された場合は、ステップ１０２へ移行してＥ６の補正係数を決定する。
【００８２】
Ｅ６補正係数←（Ｄ６＋Ｅ６）／Ｅ６・・・（１）
また、ステップ１００で肯定判定された場合は、ステップ１０４に移行してＥ６の補正件数を以下の様に設定する。
【００８３】
Ｅ６補正係数←Ｑ／Ｅ６・・・（２）
ここで、ステップ１０２へ移行した場合には、完全補正が可能であるが、ステップ１０４に移行した場合には、Ｄ６を完全補正することができない。そこで、Ｄ６の周囲であるＤ５、Ｃ６、Ｄ７の各画素を用いて補正する。
【００８４】
すなわちステップ１０４からステップ１０６へ移行し、Ｄ６とＥ６との合成露光量から最大露光量Ｑを差し引き、これをＣ６とＤ７で分割して補正するために３で割った値である補正依存量と、Ｄ５との合成露光量が前記最大露光量Ｑを超えているか否かを判断する。ここで肯定判定された場合には、Ｄ５自体の露光量が１００％に近いため、補正してもその効果が顕著に現れず、ステップ１０８へ移行してＤ５の補正係数を１とする。
【００８５】
Ｄ５補正係数←１・・・（３）
また、ステップ１０６で否定判定された場合は、Ｄ５を所定の露光量よりも増加して、Ｄ６の露光量を補正すべく、ステップ１１０へ移行する。ステップ１１０では、Ｄ５の露光量に対する前記補正依存量とＤ５の合成露光量の比を演算し、この演算結果をＤ５の補正係数とする。
【００８６】
Ｄ５補正係数←（（（Ｄ６＋Ｅ６−Ｑ）／３）＋Ｄ５）／Ｄ５・・・（４）
以上、ステップ１０８または１１０でＤ５の補正係数が決定した後は、ステップ１１２へ移行してＣ６の補正係数を決定する。このステップ１１２は前記ステップ１０６に対応しており、前記補正依存量にＣ６を加算した合成露光量が、最大露光量Ｑよりも大きいか小さいかを判断している。このため、前記Ｄ５の補正係数を決定した時と同様に、ステップ１１２で肯定判定された場合は、ステップ１１４へ移行してＣ６の補正係数を１とする。
【００８７】
Ｃ６補正係数←１・・・（５）
また、ステップ１１２で否定判定された場合はステップ１１６へ移行して、Ｃ６の露光量に対する前記補正依存量とＣ６の合成露光量の比を演算し、これをＣ６の補正係数とする。
【００８８】
Ｃ６補正係数←（（（Ｄ６＋Ｅ６−Ｑ）／３）＋Ｃ６）／Ｃ６・・・（６）
ステップ１１４またはステップ１１６でＣ６の補正係数が決定した後は、ステップ１１８へ移行して、次のＤ７の補正係数を決定する。このＤ７においても、前記Ｄ５及びＣ６と同様にステップ１１８において前記補正依存量に、Ｄ７を加算した合成露光量が、最大露光量Ｑよりも大きいか小さいかを判断する。この結果、肯定判定された場合はステップ１２０へ移行してＤ７の補正係数を１とする。
【００８９】
Ｄ７補正係数←１・・・（７）
また、否定判定された場合はステップ１２２へ移行して、Ｄ７の露光量に対する前記補正依存量とＤ７の合成露光量の比を演算し、この演算結果をＤ７の補正係数としステップ１２４へ移行する。
【００９０】
Ｄ７補正係数←（（（Ｄ６＋Ｅ６−Ｑ）／３）＋Ｄ７）／Ｄ７・・・（８）
なお、ステップ１００で否定判定され、ステップ１０２で完全補正された場合は、ステップ１０２からステップ１２４へ移行する。ステップ１２４では１回目の露光において、他の画素の補正係数を１としてステップ１２６へ移行する。ステップ１２６では液晶表示パネル２０へ画像を表示する。この表示は、前記補正係数が加味された状態で表示される。
【００９１】
次のステップ１２８では１回目の露光が開始される。すなわち、本実施の形態では露光を２回に分けているため、このステップ１２８では所望の露光量（露光時間）の１／２だけが行われる。ステップ１２８で１回目の露光が終了すると、ステップ１３０へ移行し、液晶表示パネル２０を座標ｘのプラス方向に１画素ピッチ分移動させる。
【００９２】
これにより、ツブレ欠陥不良画素は見掛け上、Ｅ６に移行することになる。そこで、ステップ１３２ではＤ６の露光量とＥ６の露光量の合成露光量が、最大露光量Ｑよりも大きいか小さいかを判断する。このステップ１３２は、前記ステップ１００と対応しており、欠陥とされる不良画素がＤ６からＥ６に変わったのみである。従って、以下のステップの説明は前記ステップ１０２からステップ１２８までと同様であるため、同一のステップ番号の末尾にアルファベットＡを付して説明は省略する。このステップ１０２Ａからステップ１２２Ａにより、Ｄ６、Ｅ５、Ｆ６、Ｅ７の補正係数を定めることができる。
【００９３】
0003549647.tif 000002
また、ステップ１２８Ａで２回目の露光が完了すると、画像の露光は終了する。以上のような露光量制御において、ステップ１００からステップ１０２へ移行する例は表１（ツブレ１）に示される如く、画像の露光量が４６％の場合に該当する。
【００９４】
【表１】
0003549647.tif 000003
【００９５】
また、ステップ１０６で肯定判定されるのは、表２（ツブレ２）に示されるような画像の露光量が９０％の時に該当する。
【００９６】
【表２】
0003549647.tif 000004
【００９７】
さらに、ステップ１０６で否定判定される例としては、表３（ツブレ３）に示されるような画像の露光量が７６％のときが該当する。
【００９８】
【表３】
0003549647.tif 000005
【００９９】
図６にはヌケ欠陥のときの露光量の制御フローチャートが示されている。
ステップ２００では、Ｄ６に対応する画像の露光量が、最大露光量Ｑの半分の露光量（Ｑ／２）よりも大きいか小さいかが判断される。
【０１００】
このステップ２００で肯定判定された場合は、Ｄ６とＥ６との露光制御のみで所望の露光量が得ることができ、Ｅ６の補正係数を以下のように決定する。
【０１０１】
Ｅ６補正係数←（Ｄ６＋Ｅ６−Ｑ）／Ｅ６・・・（１３）
また、ステップ２００で否定判定された場合は、ステップ２０４へ移行する。ステップ２０４では、Ｅ６の補正係数を０とする。
【０１０２】
Ｅ６補正係数←０・・・（１４）
すなわち、Ｄ６の露光量が５０以下の場合には、１回の露光でこの所望の露光量を超えてしまうため、同一画像がＥ６に対応したとき、Ｅ６を全閉状態としておく。これにより、所望の露光量との差を最小限に食い止めることができる。
【０１０３】
次のステップ２０６では最小限に食い止めたＤ６の露光量は、所望の露光量との間に、依然として差があるため、その回りの画素Ｄ５、Ｃ６、Ｄ７で補正する必要がある。
【０１０４】
ステップ２０６では、そのＤ５の補正係数を決定するため、Ｄ６の露光量から最大露光量Ｑの半分（Ｑ／２）を差し引き，これをＣ６とＤ７で分割して補正するために、３で割った値（補正依存量）にＤ５／２の露光量を加算した値を演算する。
この補正依存量とＤ５／２との合成露光量が負の数である場合には（否定判定）、Ｄ５を全開放しても補正しきれないため、ステップ２０８へ移行してＤ５の補正係数を０とする。
【０１０５】
Ｄ５補正係数←０・・・（１５）
また、ステップ２０６で肯定判定、すなわち前記補正依存量とＤ５／２の合成露光量が正の数の場合には、ステップ２１０へ移行して前記補正依存量とＤ５との合成露光量に対するＤ５／２の比を、１回目の露光時のＤ５の補正係数とする。
【０１０６】
Ｄ５補正係数←（（Ｄ５／２）＋（  Ｄ６−（Ｑ／２））／３）／（Ｄ５／２）・・・（１６）
次にステップ２１２では、Ｃ６の補正係数を決定すべく、前記補正依存量とＣ６の合成露光量が正の数か負の数かを判断する。このステップ２１２で否定判定、すなわち負の数と判定された場合はステップ２１４へ移行してＣ６の補正係数を０とする。
【０１０７】
Ｃ６補正係数←０・・・（１７）
また、ステップ２１２で肯定判定、すなわち正の数と判定された場合には、前記補正依存量とＣ６の合成露光量に対するＣ６の比を１回目の露光時のＣ６の補正係数とする。
【０１０８】
Ｃ６補正係数←（（Ｃ６／２）＋（  Ｄ６−（Ｑ／２））／３）／（Ｃ６／２）・・・（１８）
次にステップ２１８では、Ｄ７の補正係数を決定すべく、前記補正依存量とＤ７の露光量を加算した合成露光量が、正の数か負の数かを判断する。このステップ２１８で否定判定された場合は、ステップ２２０へ移行してＤ７の補正係数を０とする。
【０１０９】
Ｄ７補正係数←０・・・（１９）
肯定判定された場合には、ステップ２２２へ移行して前記補正依存量のＤ７の合成露光量に対するＤ７の比を、１回めの露光時のＤ７の補正係数とし、ステップ２２４へ移行する。
【０１１０】
Ｄ７補正係数←（（Ｄ７／２）＋（  Ｄ６−（Ｑ／２））／３）／（Ｄ７／２）・・・（２０）
ステップ２２４では、ステップ２００で肯定判定された場合には、Ｅ６以外の他の画素の補正係数を１とし、ステップ２００で否定判定された場合はＤ６、Ｄ５、Ｃ６、Ｄ７以外の他の画素の補正係数を１に設定する。
【０１１１】
次のステップ２２６では、液晶表示パネル２０へ画像表示する。この時の画像の表示は、前記設定された補正係数に基づいて表示される。
【０１１２】
次のステップ２２８では、この液晶表示パネル２０の表示に基づいて１回目の露光が実行される。
【０１１３】
次いで、ステップ２３０で液晶表示パネル２０の１画素ピッチ分の移動がなされる。ステップ２３０で液晶表示パネル２０の移動が完了すると、ステップ２３２へ移行してＥ６の露光量が最大露光量Ｑの半分（Ｑ／２）を超えているか否かが判断される。
【０１１４】
すなわち、液晶表示パネル２０の移動によって、ヌケ欠陥とされる不良画素が見掛け上、Ｅ６の位置にくるため、このＥ６に基づいて前記ステップ２００と同様な比較を行う。
【０１１５】
以下の処理は前記ステップ２０２からステップ２２８までの処理と同様であるため、同一の符号の末尾にアルファベットＢを付して説明を省略する。このステップ２０２Ｂからステップ２２２Ｂにより、Ｅ６、Ｅ５、Ｆ６、Ｅ７の補正係数を定めることができる。
0003549647.tif 000006
また、ステップ２２８Ｂでは２回目の露光が実行され、これによって画像の露光は完了する。
【０１１６】
ここで、ステップ２００で肯定判定される例として、表４（ヌケ１）に示される如く、画像濃度が５６のときが挙げられる。
【０１１７】
【表４】
0003549647.tif 000007
【０１１８】
またステップ２００で否定判定されステップ２０６で肯定判定される場合の例として、表５（ヌケ２）に示される如く、画像濃度が３０のときが挙げられる。
【０１１９】
【表５】
0003549647.tif 000008
【０１２０】
また、ステップ２０６で否定判定される場合は、表６（ヌケ３）に示される如く、画像濃度が１６のときが挙げられる。なお、ヌケ２とヌケ３との境は、露光量２０％である。
【０１２１】
【表６】
0003549647.tif 000009
【０１２２】
このように、１つの画像を２回の露光に分けて行うことにより、液晶表示パネル２０上の画素に不良画素があった場合でも、その周囲の画素の露光制御によって補正することができ、不良画素に対応する画像の濃度変化を目立たなくすることができる。
【０１２３】
なお、露光回数を、２回としたのは露光制御の時間を必要以上に長くすることなく、ある程度の補正ができるためである。露光時間を考慮しなければ、露光回数を増加すればするほど、補正精度は向上する。本実施の形態では、上記の如く露光露光回数を２回としたが、本実施の形態に示した画素ずらしは、３回以上の露光に対応可能となっているため、装置構成を変更せず、露光量の計算のみで、露光回数の設定変更が可能である。
【０１２４】
また、本実施の形態では、不良画像として透過光量が０％の状態で制御不能であるツブレ欠陥と、透過光量が１００％の状態で制御不要であるヌケ欠陥について説明したが、透過光量が０％を超え１００％未満の一定値で制御不能である欠陥についても同様な方法で補正できることは言うまでもない。
【０１２５】
なお、本実施の形態の画像露光方法は、カラー画像を念頭に説明しているが、白黒画像に適用しても同様の効果を得ることができる。
【０１２６】
また、全色について補正を行う（３色を２回づつ）ようにしたが、例えば人間の眼に感じ易いＧ色の露光時のみ補正（画素ずらしによる分割露光）を行ってもよい。これによれば、全体の露光回数を軽減することができる。
【０１２７】
さらに、不良画素の状態と、不良画素に表示される画像信号の強度（それぞれの露光量）との組み合わせで補正するか否か、補正の度合いを決定したが、ＲＧＢの画像信号を輝度信号に変換して、それぞれの画素をこの輝度信号に基づいて補正するようにしてもよい。これによれば、各色毎に演算する必要がなく、演算処理を簡略化することができる。
【０１２８】
また、本実施の形態では画素ずらしを１画素ピッチとしたが、感光材料上で１．５画素以上のピッチとなるようにしてもよい。これによれば、不良画素が集中することを防止することができ、より目立たなくすることができる。
【０１２９】
なお、本実施の形態では、図４に示される如く、不良画素に対して横方向（左右方向）に位置する画素によって補正するようにしたが、天地（上下）方向に対応する画素で補正するようにしてもよい。この選択は、画像に応じて決定するようにしてもよい。例えば、不良画素が異なる色味（特に反対色）の境目に位置する場合は上下左右の同色のものを選択したり、罫線や文字のように白黒のみの表示部分の境目の場合には、罫線や文字の縁に沿った方向に隣接する画素を選択することが好ましい。
【０１３０】
また、白黒画像部分の場合、ツブレ欠陥で黒色表示位置或いはヌケ欠陥で白色表示位置に対応するときは、ツブレ結果が白色表示位置、ヌケ結果が黒色表示位置にくるように液晶表示パネル２０を予め移動させておき、１回の露光で処理するようにしてもよい。この場合、液晶表示パネル２０の表示可能領域を画像表示領域よりも大きくしておくことにより、調整幅をその分大きくとることができる。
【０１３１】
なお、本実施の形態では、表示パネルとして、液晶表示パネル２０を例にとり説明したが、本発明が適用可能な表示パネルとしては、上記液晶表示パネル以外に以下に示すものがある。
【０１３２】
【表７】
0003549647.tif 000010
【０１３３】
なお、発光形の代表的な例として、ＣＲＴを例に挙げて装置構成を簡単に説明すると、図７に示される如く、ＣＲＴ１００の表示面に対向して印画紙１０２が図７の左ロール１０４から右ロール１０６へと移動するようになっている。左ロール１０４及び右ロール１０６は、画像サイズに応じて印画紙１０２を搬送する。このとき、マスク１０８の開口部分が次の露光領域となり、ＣＲＴ１００に映し出された画像が露光されることになる。
【０１３４】
ＣＲＴ１００には、表示コントローラ１１０が接続されており、この表示コントローラ１１０は、画像情報記憶装置１１２から読み取った画像をＣＲＴ１００の特性（水平同期、垂直同期、走査線本数）に合わせて画像処理し、ＣＲＴ１００へ出力するようになっている。
【０１３５】
このような画像が表示さえるＣＲＴ１００において、全く表示されない部分が、上記液晶表示パネル２０のツブレ欠陥に相当し、表示コントローラ１１０の制御に拘らず、常に最大発光してしまう部分が、上記液晶表示パネル２０のヌケ欠陥に相当するため、同様なシフト動作、分割露光を行うことによって、欠陥を目立たなくすることができる。この場合、ＣＲＴ１００と印画紙１０２との相対移動（ｎ＋０．５  ピッチ）が必要であるが、液晶表示パネル２０のようにＣＲＴ１００は容易に動き難いため、印画紙１０２を移動することが望ましい。
【０１３６】
【発明の効果】
以上説明した如く本発明に係る表示パネルを用いた画像露光方法は、濃度（透過光量又は反射光量或いは発光量）の調整ができない画素が存在し、その位置が特定できる場合に、その不良（欠陥）画素の周囲の画素の濃度（透過光量又は反射光量或いは発光量）を用いて補正し、欠陥による感光材料上の点状の濃度異常を目立たなくし、画像品質の低下を防止することができるという優れた効果を有する。
【図面の簡単な説明】
【図１】本発明の実施の形態に係る液晶表示パネルを用いた画像露光装置の概略図である。
【図２】本発明の実施の形態に係る液晶表示パネル及びその周辺部の構造を示す分解斜視図である。
【図３】（Ａ）は本実施の形態に係る液晶表示パネルの平面図、（Ｂ）は図３（Ａ）の液晶表示パネルの移動を座標表示した場合の特性図である。
【図４】液晶表示パネル上でマトリクス配列された各画素を特定するための座標変換図である。
【図５】ツブレ欠陥の不良画素を補正するための露光制御フローチャートである。
【図６】ヌケ欠陥の不良画素を補正するための露光制御フローチャートである。
【図７】表示パネルとしてＣＲＴを用いた、画像記録装置の概略図である。
【符号の説明】
１２    プリント部
２０    液晶表示パネル
２４    コントローラ
２６    液晶表示パネル移動部
２８、６４    圧電素子
【図１】
0003549647.tif 000011
【図２】
0003549647.tif 000012
【図３】
0003549647.tif 000013
【図４】
0003549647.tif 000014
【図５】
0003549647.tif 000015
【図６】
0003549647.tif 000016
【図７】
0003549647.tif 000017